(57)【要約】【課題】薬剤師による投薬指導業務を支援することが可能な投薬指導支援システム及び投薬指導支援プログラムを提供すること。【解決手段】投薬指導支援システム１０は、一の患者に対応する複数の診療科で発行された複数の処方データに処方薬として含まれる薬品に対応する指導項目を纏めて表示画面に表示可能な表示処理部１１１と、前記表示処理部１１１によって表示される前記指導項目各々についての確認操作を受け付け可能な受付処理部１１２と、前記受付処理部１１２によって受け付けられる前記指導項目各々についての確認結果を前記診療科ごとに分類して記録可能な記録処理部１１３とを備える。【選択図】図１
2018120369.tif 000002
【特許請求の範囲】
【請求項１】
一の患者に対応する複数の診療科で発行された複数の処方データに処方薬として含まれる薬品について予め定められた指導項目を纏めて表示可能な表示処理部と、
前記表示処理部によって表示される前記指導項目各々についての確認操作を受け付け可能な受付処理部と、
前記受付処理部によって受け付けられる前記指導項目各々についての確認結果を前記処方データごとに記録可能な記録処理部と、
を備える投薬指導支援システム。
【請求項２】
前記表示処理部は、前記指導項目が纏めて表示される第１表示画面と、前記診療科ごとに前記指導項目が表示される第２表示画面とを切り替え表示可能であり、
前記受付処理部は、前記第１表示画面及び前記第２表示画面各々における確認操作を受付可能である、
請求項１に記載の投薬指導支援システム。
【請求項３】
前記表示処理部は、前記指導項目に対応する前記薬品の識別情報を当該指導項目に対応付けて表示させる、
請求項１又は２に記載の投薬指導支援システム。
【請求項４】
前記表示処理部は、前記指導項目に対応する前記薬品が処方薬として含まれる前記処方データの発行元の前記診療科を当該診療項目又は当該薬品に対応付けて表示させる、
請求項１〜３のいずれかに記載の投薬指導支援システム。
【請求項５】
前記記録処理部は、前記指導項目各々についての確認結果を前記処方データごとに記憶部に記憶させる記憶処理、又は画像形成装置によってシートに記録させる印刷処理の少なくとも一方を実行可能である、
請求項１〜４のいずれかに記載の投薬指導支援システム。
【請求項６】
前記表示処理部は、前記処方データに、前記患者について前回処方されていない薬品が追加された場合に、薬品の追加に関する項目を前記指導項目として表示させる、
請求項１〜５のいずれかに記載の投薬指導支援システム。
【請求項７】
前記表示処理部は、発行日が同じ複数の前記処方データ、又は投薬日が同じ複数の前記処方データについて、前記指導項目を纏めて表示する、
請求項１〜６のいずれかに記載の投薬指導支援システム。
【請求項８】
前記表示処理部は、前記処方データのうち未確認の前記指導項目が存在する処方データについて、当該未確認の指導項目を纏めて表示する、
請求項７に記載の投薬指導支援システム。
【請求項９】
前記表示処理部は、ユーザー操作により選択された一又は複数の前記処方データについて前記指導項目を纏めて表示する、
請求項１〜８のいずれかに記載の投薬指導支援システム。
【請求項１０】
コンピュータに、
一の患者に対応する複数の診療科で発行された複数の処方データに処方薬として含まれる薬品について予め定められた指導項目を纏めて表示する表示ステップと、
前記表示ステップによって表示される前記指導項目各々についての確認操作を受け付ける受付ステップと、
前記受付ステップによって受け付けられる前記指導項目各々についての確認結果を前記処方データごとに記録する記録ステップと、
を実行させるための投薬指導支援プログラム。
【発明の詳細な説明】
【技術分野】
【０００１】
本発明は、病院等の医療機関で薬剤師により行われる投薬指導業務を支援する投薬指導支援システム及び投薬指導支援プログラムに関する。
【背景技術】
【０００２】
病院等の医療機関では、診察記録及び処方内容が電子カルテシステムなどに入力されることにより処方データが発行され、その処方データに基づいて薬品が調剤されて患者に渡される。なお、処方データについては、その処方内容の適否を自動判定する処方監査システムが知られている（例えば特許文献１参照）。
【先行技術文献】
【特許文献】
【０００３】
【特許文献１】特開２０１３−１２５３７７号公報
【発明の概要】
【発明が解決しようとする課題】
【０００４】
ところで、薬剤師は、薬品を患者に渡す際、その薬品に対応して予め定められた一又は複数の指導項目の確認作業、及びその確認結果を記録する記録作業を含む投薬指導業務を行う。例えば、投薬指導業務では、眠気を生じるおそれのある薬品が患者に処方される場合に、その患者に対して車の運転等についての注意事項が伝えられる。また、投薬指導業務には、患者の検査結果について問題ないか否かを薬剤師が自己確認する行為なども含まれる。
【０００５】
本発明の目的は、薬剤師による投薬指導業務を支援することが可能な投薬指導支援システム及び投薬指導支援プログラムを提供することにある。
【課題を解決するための手段】
【０００６】
本発明に係る投薬指導支援システムは、一の患者に対応する複数の診療科で発行された複数の処方データに処方薬として含まれる薬品について予め定められた指導項目を纏めて表示可能な表示処理部と、前記表示処理部によって表示される前記指導項目各々についての確認操作を受け付け可能な受付処理部と、前記受付処理部によって受け付けられる前記指導項目各々についての確認結果を前記処方データごとに記録可能な記録処理部とを備える。
【０００７】
本発明に係る投薬指導支援プログラムは、コンピュータに、一の患者に対応する複数の診療科で発行された複数の処方データに処方薬として含まれる薬品について予め定められた指導項目を纏めて表示する表示ステップと、前記表示ステップによって表示される前記指導項目各々についての確認操作を受け付ける受付ステップと、前記受付ステップによって受け付けられる前記指導項目各々についての確認結果を前記処方データごとに記録する記録ステップとを実行させる。
【発明の効果】
【０００８】
本発明によれば、薬剤師による投薬指導業務を支援することが可能な投薬指導支援システム及び投薬指導支援プログラムが実現される。
【図面の簡単な説明】
【０００９】
【図１】図１は、本発明の実施形態に係る投薬指導支援システムの構成を示すブロック図である。
【図２】図２は、本発明の実施形態に係る投薬指導支援システムで用いられる指導情報の一例を示す図である。
【図３】図３は、本発明の実施形態に係る投薬指導支援システムで実行される投薬指導支援処理の手順の一例を示すフローチャートである。
【図４】図４は、本発明の実施形態に係る投薬指導支援システムで表示される表示画面の一例を示す図である。
【図５】図５は、本発明の実施形態に係る投薬指導支援システムで表示される表示画面の一例を示す図である。
【図６】図６は、本発明の実施形態に係る投薬指導支援システムで表示される表示画面の一例を示す図である。
【図７】図７は、本発明の実施形態に係る投薬指導支援システムで表示される表示画面の一例を示す図である。
【図８Ａ】図８Ａは、本発明の実施形態に係る投薬指導支援システムで表示される表示画面の一例を示す図である。
【図８Ｂ】図８Ｂは、本発明の実施形態に係る投薬指導支援システムで表示される表示画面の一例を示す図である。
【発明を実施するための形態】
【００１０】
以下添付図面を参照しながら、本発明の実施形態について説明し、本発明の理解に供する。なお、以下の実施形態は、本発明を具体化した一例であって、本発明の技術的範囲を限定する性格のものではない。
【００１１】
［投薬指導支援システム１０］
図１に示すように、本発明の実施形態に係る投薬指導支援システム１０は、サーバー１、クライアント端末２、及びプリンター３などを備える。前記サーバー１、前記クライアント端末２、及びプリンター３は、通信網４を介して無線又は有線で通信可能に接続される。前記通信網４は、ＬＡＮ、ＷＡＮ、インターネット、又はイントラネットなどである。また、前記サーバー１には、処方内容を示す処方データ及び患者の情報を示す患者データなどを前記サーバー１に入力する上位システム５が前記通信網４を介して接続される。前記上位システム５は、電子カルテシステム、オーダーリングシステム、又はレセプトシステムなどである。なお、前記サーバー１が前記上位システム５から前記処方データ及び前記患者データを能動的に読み出す構成であってもよい。
【００１２】
前記処方データには、例えば処方箋交付年月日（発行日）、オーダーナンバー、処方区分、ＢＣＤ、服用者ＩＤ、服用者名、診療科、服用者生年月日、薬品情報（薬品コード、薬品名、用量など）、剤形情報（内服、外用など）、用法情報（服用時期を含む）、診療種別（外来、入院など）などの情報が含まれる。なお、一の患者が同日に複数の診療科を受診し、その診療科各々において薬品が処方される場合には、その患者について前記診療科ごとに前記処方データが発行されることになる。また、前記投薬指導支援システム１０では、処方データに基づく調剤を開始するための操作又は投薬日の入力操作が行われた場合、その操作日又は投薬日が前記処方データに投薬日として登録される。
【００１３】
［プリンター３］
前記プリンター３は、前記サーバー１又は前記クライアント端末２から前記通信網４を介して入力される印刷データに含まれる情報を紙などのシートに記録する印刷処理を実行可能なカラープリンター又はモノクロプリンターなどの画像形成装置である。例えば、病院又は薬局等の医療機関では、前記プリンター３によって前記処方データに基づく処方箋が印刷されることがある。また、前記プリンター３は、前記投薬指導支援システム１０において後述の指導項目などの印刷にも用いられる。
【００１４】
［サーバー１］
前記サーバー１は、制御部１１、記憶部１２、通信Ｉ／Ｆ１３、表示装置１４、操作装置１５、及びドライブ装置１６などを備えるコンピュータである。なお、前記サーバー１は、前記投薬指導支援システム１０が使用される病院又は薬局等の医療機関の外部に設けられてもよい。また、前記サーバー１は、スマートフォン、タブレット端末、又はラップトップコンピューターなどの情報処理装置であってもよい。
【００１５】
前記制御部１１は、ＣＰＵ、ＲＯＭ、ＲＡＭ、及びＥＥＰＲＯＭ（登録商標）などの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部１１は、前記ＣＰＵを用いて、前記ＲＯＭ、前記ＥＥＰＲＯＭ、又は前記記憶部１２に予め記憶された各種の制御プログラムに従って各種の処理を実行する。
【００１６】
前記記憶部１２は、前記制御部１１によって実行される各種の制御プログラム及び各種のデータが記憶されるハードディスク又はＳＳＤ等の不揮発性の記憶部である。また、前記記憶部１２には、プログラム記憶部１２１、マスター記憶部１２２、及び情報記憶部１２３が含まれる。
【００１７】
前記プログラム記憶部１２１は、後述の投薬指導支援処理（図３参照）を前記制御部１１に実行させるための投薬指導支援プログラムが記憶される記憶領域である。
【００１８】
前記マスター記憶部１２２は、薬品マスター、患者マスター、薬剤師マスター、及び診療科マスターなどの各種のマスター情報が記憶される記憶領域である。例えば、前記薬品マスターには、各種の薬品について、薬品コード（ＹＪコード等）、薬品名、ＪＡＮコード、ＲＳＳコード、薬瓶コード、剤形、単位、比重、薬品種、配合変化、賦形薬品、注意事項などの情報が含まれる。前記患者マスターには、各患者について、例えば患者名、患者ＩＤ、性別、年齢、飲酒有無、喫煙有無、及び病名などの情報が含まれる。前記診療科マスターには、前記投薬指導支援システム１０が使用される医療機関の各種の診療科の情報が含まれる。なお、前記制御部１１は、前記マスター記憶部に記憶されている各種のマスター情報を、前記上位システム５から取得する情報に基づいて随時更新可能である。また、前記制御部１１は、前記サーバー１又は前記クライアント端末２を用いたユーザー操作に応じて各種のマスター情報を編集することも可能である。
【００１９】
前記情報記憶部１２３は、前記処方データ、薬歴情報、指導情報Ｄ１１などの各種の情報が記憶される記憶領域である。前記処方データは、前記上位システム４から取得されて前記情報記憶部１２３に記憶される。前記薬歴情報は、患者各々の薬品の服用履歴を示す情報であり、前記制御部１１は、前記処方データに基づいて前記薬歴情報を更新する。これにより、前記制御部１１は、患者各々の薬品の服用履歴を把握することが可能である。
【００２０】
図２に示すように、前記指導情報Ｄ１１では、患者に処方される薬品の識別情報と薬剤師がその薬品を患者に渡す際に確認するべき一又は複数の指導項目とが対応付けて記憶されている。前記薬品の識別情報は、例えば薬品名、薬品コード、又はＹＪコードなどである。
【００２１】
具体的に、図２に示されるように、前記指導情報Ｄ１１では、前記指導項目である「車の運転等の注意事項を指摘した」と、薬品の種別を示す薬品コードである「ＹＪ０００００００００１」、「ＹＪ０００００００００２」、及び「ＹＪ０００００００００４」とが対応付けられている。同様に、前記指導情報Ｄ１１では、前記指導項目である「アルコール摂取時の注意事項を指摘した」と、薬品の種別を示す薬品コードである「ＹＪ０００００００００１」、「ＹＪ０００００００００２」、及び「ＹＪ０００００００００３」とが対応付けられている。さらに、前記指導情報Ｄ１１では、前記指導項目である「副作用の発現時期を説明した」と、薬品の種別を示す薬品コードである「ＹＪ０００００００００４」、「ＹＪ０００００００００５」、及び「ＹＪ０００００００００６」とが対応付けられている。これにより、前記制御部１１は、前記指導情報Ｄ１１に基づいて、薬品各々に対応する指導項目の内容を特定することが可能である。
【００２２】
前記通信Ｉ／Ｆ１３は、前記通信網４を介して前記クライアント端末２、及び前記プリンター３などの外部機器との間で、予め定められた通信プロトコルに従って無線又は有線でデータ通信を実行するネットワークカード等を有する通信インターフェースである。
【００２３】
前記表示装置１４は、前記制御部１１からの制御指示に従って各種の情報を表示する液晶ディスプレイ又は有機ＥＬディスプレイなどの表示部である。前記操作装置１５は、前記サーバー１に各種の情報を入力するためにユーザーによって操作される操作部である。具体的に、前記操作装置１５は、前記表示装置１４に表示される各種の操作画面における入力操作を受け付けるキーボード及びマウス（ポインティングデバイス）を含む。また、前記操作装置１５は、前記表示装置１４に表示される各種の操作画面に対するタッチ操作を受け付けるタッチパネル、又は音声認識により各種情報の入力を受け付ける音声入力装置を含むものであってもよい。
【００２４】
前記ドライブ装置１６は、前記投薬指導支援プログラムが非一時的に記録されたコンピュータ読み取り可能な記録媒体１６１から前記投薬指導支援プログラムを読み取ることが可能である。前記記録媒体１６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。そして、前記サーバー１では、前記制御部１１により、前記ドライブ装置１６を用いて前記記録媒体１６１から読み取られた前記投薬指導支援プログラムが前記記憶部１２の前記プログラム記憶部１２１にインストールされる。
【００２５】
そして、前記サーバー１の前記制御部１１は、表示処理部１１１、受付処理部１１２、及び記録処理部１１３を含む。具体的に、前記制御部１１は、前記投薬指導支援プログラムに従って後述の投薬指導支援処理（図３参照）などの各種の処理を実行することにより前記表示処理部１１１、前記受付処理部１１２、及び前記記録処理部１１３として機能する。即ち、本実施形態では、前記サーバー１単体が本発明に係る投薬指導支援システムである。
【００２６】
なお、前記サーバー１の機能の一部又は全部が前記クライアント端末２に設けられることも他の実施形態として考えられる。例えば、前記クライアント端末２に、前記投薬指導支援プログラムの一部又は全部がインストールされており、前記クライアント端末２の前記制御部２１が、前記サーバー１から必要な情報を適宜取得して、後述の投薬指導支援処理（図３参照）を実行することも考えられる。
【００２７】
前記表示処理部１１１は、一の患者に対応する複数の診療科で発行された複数の処方データに処方薬として含まれる薬品について予め定められた指導項目を纏めて表示可能である。なお、前記指導項目は、薬品を患者に投薬する際に確認するべき事項であって、薬品の種類ごとに設定されて前記指導情報Ｄ１１に登録されている。詳細は後述するが、前記表示処理部１１１は、複数の診療科で処方される薬品に対応する複数の前記指導項目が纏めて表示される第１表示画面（図５参照）と、前記診療科ごとに前記指導項目が抽出されて表示される第２表示画面（図６及び図７参照）とを切り替えて表示することも可能である。前記第１表示画面又は前記第２表示画面は、前記サーバー１の表示装置１４又は前記クライアント端末２が備える後述の表示装置２４に表示される。なお、前記表示処理部１１１は、前記第２表示画面が表示できず、前記第１表示画面のみが表示可能であってもよい。また、前記制御部１１は、ユーザー操作に応じて、前記第１表示画面又は前記第２表示画面に表示される前記指導項目の内容を前記プリンター３によって印刷することも可能である。これにより、薬剤師は、その印刷物を用いて投薬指導業務を行うことが可能である。
【００２８】
前記受付処理部１１２は、前記表示処理部１１１によって表示される前記第１表示画面又は前記第２表示画面各々における前記指導項目各々の確認操作を受け付け可能である。具体的に、前記受付処理部１１１は、前記サーバー１又は前記クライアント端末２に対するユーザー操作に応じて、前記指導項目各々の確認結果を確認済又は未確認に設定する操作を受け付ける。
【００２９】
前記記録処理部１１３は、前記受付処理部１１２によって受け付けられる前記指導項目各々についての確認結果を前記処方データごとに記録可能である。より具体的に、前記記録処理部１１３は、前記指導項目各々についての確認結果を前記処方データごとに分けて前記記憶部１２などの記憶部に記憶させる記憶処理、又は前記プリンター３によってシートに記録させる印刷処理の少なくとも一方が可能である。
【００３０】
［クライアント端末２］
前記クライアント端末２は、制御部２１、記憶部２２、通信Ｉ／Ｆ２３、表示装置２４、操作装置２５、及びドライブ装置２６などを備えるパーソナルコンピュータである。前記クライアント端末２各々は、前記投薬指導支援システム１０が使用される医療機関に配置され、薬剤師などのユーザーによって操作される操作端末である。例えば、前記クライアント端末２は、前記医療機関において薬品が患者に渡される投薬窓口などに設けられ、投薬指導業務を行う薬剤師などによって使用される。なお、前記クライアント端末２は、スマートフォン、タブレット端末、ラップトップコンピューターなどの情報処理装置であってもよい。
【００３１】
前記制御部２１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＣＰＵを用いて、前記ＲＯＭ、前記ＥＥＰＲＯＭ、又は前記記憶部２２に予め記憶された各種の制御プログラムに従って各種の処理を実行する。
【００３２】
前記記憶部２２は、前記制御部２１によって実行される各種の制御プログラム及び各種のデータが記憶されるハードディスク又はＳＳＤ等の不揮発性の記憶部である。具体的に、前記記憶部２２には、オペレーティングシステム（ＯＳ）及びブラウザソフトなどのアプリケーションプログラムが記憶されるプログラム記憶部２２１が含まれる。前記ブラウザソフトは、前記通信網４を介して前記サーバー１にアクセスすることにより前記表示装置２４に各種の操作画面などを表示させると共に、前記操作装置２５を用いた前記操作画面に対する入力操作を前記サーバー１に伝達するためのアプリケーションソフトウェアである。例えば、前記制御部２１は、前記ブラウザソフトにより表示される操作画面の所定位置に、前記サーバー１に対応するＵＲＬ（Universal  Resource  Locator）などのアドレス情報が入力された場合に、該アドレス情報に基づいて前記サーバー１にアクセスする。
【００３３】
前記通信Ｉ／Ｆ２３は、前記通信網４を介して前記サーバー１、及び前記プリンター３などの外部機器との間で、予め定められた通信プロトコルに従って無線又は有線でデータ通信を実行するネットワークカード等を有する通信インターフェースである。
【００３４】
前記表示装置２４は、前記制御部２１からの制御指示に従って各種の情報を表示する液晶ディスプレイ又は有機ＥＬディスプレイなどの表示部である。前記操作装置２５は、前記クライアント端末２に各種の情報を入力するためにユーザーによって操作される操作部である。具体的に、前記操作装置２５は、前記表示装置２４に表示される各種の操作画面における入力操作を受け付けるキーボード及びマウス（ポインティングデバイス）を含む。また、前記操作装置２５は、前記表示装置２４に表示される各種の操作画面に対するタッチ操作を受け付けるタッチパネル、又は音声認識により各種情報の入力を受け付ける音声入力装置を含むものであってもよい。
【００３５】
前記ドライブ装置２６は、前記ＯＳ又は前記ブラウザソフトなどが記録されたコンピュータ読み取り可能な記録媒体２６１から前記ＯＳ又は前記ブラウザソフトなどを読み取ることが可能である。前記記録媒体２６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。前記クライアント端末２では、前記制御部２１により、前記ドライブ装置２６を用いて前記記録媒体２６１から読み取られた前記ＯＳ又は前記ブラウザソフトなどが前記記憶部２２の前記プログラム記憶部２２１にインストールされる。
【００３６】
そして、前記投薬指導支援システム１０では、ユーザーによる前記クライアント端末２の操作に応じて、前記処方データに基づいて患者に処方される薬品に対応する前記指導項目が前記クライアント端末２に表示される。なお、前記クライアント端末２は、前記サーバー１から送信されるデータに基づいて画面表示を制御し、又は前記サーバー１の記憶部１１に記憶されているデータを参照して画面表示を制御する。また、前記サーバー１は、ユーザーによる前記クライアント端末２の操作に応じて、前記指導項目各々の確認操作を受付可能である。具体的に、本実施形態では、前記サーバー１及び前記クライアント端末２によりサーバクライアントシステムが構成されており、前記サーバー１が前記クライアント端末２のユーザー操作に応じて前記指導項目の表示及び印刷を実行する場合について説明する。そのため、以下に説明する「表示」、「操作」、「選択」、及び「入力」は、前記クライアント端末２の前記表示装置２４及び前記操作装置２５を用いて行われる。
【００３７】
一方、ユーザーによる前記サーバー１の操作装置１５の操作に応じて、前記処方データに基づいて患者に処方される薬品に対応する前記指導項目が前記サーバー１の表示装置１４に表示されることも考えられる。この場合、前記サーバー１は、ユーザーによる前記操作装置１５の操作に応じて、前記指導項目各々の確認操作を受付可能である。
【００３８】
［投薬指導支援処理］
次に、図３のフローチャートを参照しつつ、前記サーバー１の前記制御部１１によって実行される投薬指導支援処理について説明する。例えば、前記制御部１１は、前記クライアント端末２を用いて、前記投薬指導支援プログラムの実行開始操作が行われた場合に、前記投薬指導支援処理を実行する。なお、前記制御部１１は、複数の前記クライアント端末２から前記投薬指導支援プログラムの実行開始操作が行われた場合には、当該クライアント端末２各々に対応する前記投薬指導支援処理を略並行して実行する。また、本発明は、前記サーバー１のようなコンピュータによって前記投薬指導支援処理を実行することにより薬剤師の投薬指導業務を支援するための投薬指導支援方法の発明として捉えてもよい。
【００３９】
＜ステップＳ１１＞
まず、ステップＳ１１において、前記制御部１１は、投薬待ちの患者の一覧が表示される患者一覧画面Ｐ１を前記クライアント端末２に表示させる。当該ステップＳ１１の表示処理は、前記制御部１１の表示処理部１１１によって実行される。具体的に、前記制御部１１は、前記クライアント装置２に前記患者一覧画面Ｐ１の表示データを送信することにより、前記クライアント装置２に前記患者一覧画面Ｐ１を表示させる。なお、前記制御部１１が、前記クライアント装置２に前記患者一覧画面Ｐ１の表示に必要なデータを送信し、前記制御部２１が、当該データに基づいて前記患者一覧画面Ｐ１を表示することも考えられる。
【００４０】
ここに、図４は、前記患者一覧画面Ｐ１の一例を示す図である。なお、前記制御部１１は、前記患者一覧画面Ｐ１において操作キーＫ１２が操作されることにより、後述の投薬指導画面Ｐ２を前記クライアント端末２に表示させる。また、前記制御部１１は、前記投薬指導画面Ｐ２などの他の表示画面が表示された状態で操作キーＫ１１が操作されることにより、前記患者一覧画面Ｐ１を前記クライアント端末２に表示させる。
【００４１】
図４に示されるように、前記患者一覧画面Ｐ１には、投薬待ちの患者各々の情報がリスト表示される。より具体的に、前記患者一覧画面Ｐ１では、患者各々に対応付けて、投薬指導が実行済みであるか否かを示す表示領域Ｋ３１、選択の有無を切り替えるための操作部Ｋ３２、及び前回の処方薬からの変更があったか否かを示す表示領域Ｋ３３などが表示される。なお、前記制御部１１は、前記患者一覧画面Ｐ１に表示される患者の情報を、検索操作部Ｋ２１に入力される検索期間などの検索条件に基づいて抽出する。
【００４２】
＜ステップＳ１２＞
ステップＳ１２において、前記制御部１１は、患者に対する投薬指導を開始するための操作が行われたか否かを判断する。具体的に、前記制御部１１は、前記患者一覧画面Ｐ１において、一又は複数の前記操作部Ｋ３２の操作によって一又は複数の患者が選択された状態で、前記操作キーＫ１２が操作された場合に、前記投薬指導を開始するための操作が行われたと判断する。そして、前記投薬指導を開始するための操作が行われたと判断すると（Ｓ１２：Ｙｅｓ）、処理がステップＳ１３に移行し、前記投薬指導を開始するための操作が行われていなければ（Ｓ１２：Ｎｏ）、処理がステップＳ１２で待機する。なお、前記投薬指導を開始するための操作が行われていない場合であっても、前記患者一覧画面Ｐ１において他の操作キーが操作された場合には、その操作キーに応じた処理が実行されるが、ここでは説明を省略する。
【００４３】
＜ステップＳ１３＞
ステップＳ１３において、前記制御部１１は、前記操作部Ｋ３２で選択された患者を選択候補として投薬指導画面Ｐ２を前記クライアント端末２に表示させる。即ち、前記制御部１１は、前記患者一覧画面Ｐ１において選択された患者に対応する投薬指導画面Ｐ２を表示させることが可能である。なお、前記投薬指導画面Ｐ２の表示対象となる患者の選択は前記操作部Ｋ３２を用いたチェック操作に限らず、例えば、前記制御部１１が、患者の識別情報（患者名、患者ＩＤ）などの入力操作に応じて前記投薬指導画面Ｐ２の表示対象となる患者を選択してもよい。なお、当該ステップＳ１３の表示処理は、前記制御部１１の表示処理部１１１によって実行される。具体的に、前記制御部１１は、前記クライアント装置２に前記投薬指導画面Ｐ２の表示データを送信することにより、前記クライアント装置２に前記投薬指導画面Ｐ２を表示させる。なお、前記制御部１１が、前記クライアント装置２に前記投薬指導画面Ｐ２の表示に必要なデータを送信し、前記制御部２１が、当該データに基づいて前記投薬指導画面Ｐ２を表示することも考えられる。
【００４４】
ここに、図５は、前記投薬指導画面Ｐ２の一例を示す図である。前記投薬指導画面Ｐ２では、前記患者一覧画面Ｐ１の前記操作部Ｋ３２によって選択されている患者のうち指導対象の患者を選択するための操作部Ｋ４１が表示されている。以下、前記操作部Ｋ４１によって選択された患者を対象患者と称する。そして、前記制御部１１は、前記投薬指導画面Ｐ２において、前記対象患者の身体情報などの個別情報を表示させると共に、当該対象患者に処方される薬品に対応する前記指導項目を表示させる。なお、前記制御部１１は、前記患者一覧画面Ｐ１において選択されている患者の選択候補が１人である場合には、当該患者を対象患者として前記指導項目を表示させる。また、前記制御部１１が、患者の識別情報（患者名、患者ＩＤ）などの入力操作に応じて前記投薬指導画面Ｐ２の表示対象となる対象患者を選択してもよい。
【００４５】
図５に示されるように、前記投薬指導画面Ｐ２では、前記指導項目各々について、当該指導項目の確認操作を受け付ける操作部Ｋ６１、当該指導項目の内容が表示される表示領域Ｋ６２、及び当該指導項目に関するその他の補足情報が表示される表示領域Ｋ６３などが表示される。なお、前記補足情報には、前記指導項目となっている薬品の名称又は患者の病名などが含まれる。
【００４６】
そして、前記制御部１１は、前記投薬指導画面Ｐ２における前記指導項目の確認操作が前記クライアント端末２に対して行われた場合に前記クライアント端末２から送信される操作信号の受信に応じて、当該確認操作を受け付ける。なお、このように前記指導項目の確認操作を受け付ける受付処理は、前記制御部１１の受付処理部１１２によって実行される。また、前記指導項目の確認操作を受け付けるときの前記クライアント端末２の制御部２１を前記受付処理部として捉えてもよい。
【００４７】
ところで、病院又は薬局などの医療機関において、薬剤師は、薬品を患者に渡す際、その薬品に対応して予め定められた一又は複数の前記指導項目の確認作業、及びその確認結果を記録する記録作業を含む投薬指導業務を行う。例えば、前記投薬指導業務では、眠気を生じるおそれのある薬品が患者に処方される場合に、その患者に対して車の運転等についての注意事項が伝えられる。また、前記投薬指導業務には、患者の検査結果について問題ないか否かを薬剤師が自己確認する行為なども含まれる。これに対し、本実施形態に係る投薬指導支援システム１０では、薬剤師による投薬指導業務を支援することが可能である。
【００４８】
特に、前記医療機関では、一の患者が同日に複数の診療科で診療を受け、その複数の診療科で患者に対して処方データが同日に発行されることがある。この場合、一般に、薬剤師は、その複数の処方データに基づいて調剤された複数の薬品に対応する前記指導項目各々についての確認結果を診療科又は処方データごとに記録する。なお、一の患者が異なる日に複数の診療科で診療を受け、その複数の診療科で患者に対して処方データが発行された場合であって、その複数の処方データに基づいて調剤された複数の薬品を一度に受け取る場合、即ち投薬日が同じ場合も同様である。そのため、患者が複数の診療科から薬品の処方を受ける場合に、その投薬指導業務に手間が掛り、薬剤師の業務効率が悪くなるという問題がある。これに対し、本実施形態に係る投薬指導支援システム１０では、患者が複数の診療科から薬品の処方を受ける場合における薬剤師の投薬指導業務の効率化を図ることができる。
【００４９】
具体的に、前記ステップＳ１３において、前記制御部１１は、図５に示されるように、対象患者について一又は複数の診療科から発行された処方データに処方薬として含まれる薬品各々に対応する前記指導項目を前記投薬指導画面Ｐ２の表示領域Ｐ２１に纏めて表示させる。ここで、前記制御部１１は、一の患者に対応する処方データのうち、発行日が同じ一又は複数の処方データについて、当該処方データに含まれる薬品各々に対応する前記指導項目を前記表示領域Ｐ２１に纏めて表示させる。また、前記制御部１１は、一の患者に対応する処方データのうち、投薬日が同じ一又は複数の処方データについて、当該処方データに含まれる薬品各々に対応する前記指導項目を前記表示領域Ｐ２１に纏めて表示させることが可能であってもよい。
【００５０】
さらに、前記制御部１１は、前記表示領域Ｐ２１において、前記処方データのうち未確認の前記指導項目が存在する処方データについて当該未確認の指導項目を纏めて表示させることも考えられる。具体的に、前記制御部１１は、前記処方データごとについて、当該処方データに含まれる薬品各々に対応する全ての前記指導項目が確認済みになった場合に、当該処方データについての投薬指導が終了したと判断し、その旨を当該処方データに対応付けて記録する。これにより、前記制御部１１は、前記表示領域Ｐ２１において、前記処方データのうち未確認の前記指導項目が存在する処方データについて当該未確認の指導項目を纏めて表示させることが可能である。
【００５１】
また、前記制御部１１は、前記患者一覧画面Ｐ１に示されるように、前記表示領域Ｋ３１各々において、当該表示領域Ｋ３１に対応する患者のうち全ての処方データについての前記指導項目が確認済みである患者である旨を表示させることが可能である。例えば、前記患者一覧画面Ｐ１に、全ての処方データについての前記指導項目が確認済みである患者の情報の表示の有無を切り替える操作キーが表示され、前記制御部１１が、前記操作キーに応じて全ての処方データについての前記指導項目が確認済みである患者の情報の表示の有無を切り替えてもよい。
【００５２】
また、前記制御部１１は、前記投薬指導画面Ｐ２等に、対象患者に対応する複数の処方データのうち前記指導項目の表示対象となる処方データをユーザーに選択させるための操作画面を表示させることも考えられる。そして、前記制御部１１は、前記選択画面におけるユーザー操作により選択された一又は複数の前記処方データについて、前記投薬指導画面Ｐ２の表示領域Ｐ２１に前記指導項目を纏めて表示させる。これにより、薬剤師等のユーザーは、前記処方データ各々についての前記指導項目の表示の有無を任意に切り替えることが可能となり利便性が高まる。
【００５３】
なお、以下、本実施形態では、対象患者に対応する処方データとして、診療科が「内科」であり処方薬が「ＴＳ−１カプセル」である処方データと、診療科が「外科」であり処方薬が「コントミン錠」、「アイトロール錠」、「ロキソニン錠」である処方データとが前記サーバー１の記憶部１２に未処理データとして記憶されている場合を例に挙げて説明する。前記サーバー１の記憶部１２に記憶される前記処方データは、前記クライアント端末２における指導完了操作時などに消去され、又は処理済データとして前記記憶部１２に記憶される。
【００５４】
また、前記制御部１１は、前記記憶部１２に記憶されている対象患者の薬歴情報に基づいて、当該対象患者に処方された薬品のうち前回からの変更があった薬品、又は当該対象患者に新たに追加して処方された薬品が存在するか否かを判断する。そして、前記制御部１１は、当該対象患者に処方された薬品のうち前回からの変更があった薬品、又は当該対象患者に新たに追加して処方された薬品が存在する場合には、その旨の適否を確認すべき指導事項を前記投薬指導画面Ｐ２の表示領域Ｐ２１に表示させる。即ち、前記制御部１１は、対象患者について前回の処方時に処方されていなかった薬品が新たに処方される場合に、その旨に関する投薬指導を行う必要がある旨をユーザーに報知することが可能である。
【００５５】
このように、一の患者について複数の診療科で処方データが発行された場合でも、薬剤師は、前記投薬指導画面Ｐ２を参照して、その複数の薬品に対応する前記指導項目を纏めて確認することができ、投薬指導業務を効率的に行うことが可能である。なお、前記制御部１１は、薬剤師が前記指導項目について確認し、前記投薬指導画面Ｐ２において当該指導項目に対応する前記操作部Ｋ６１を操作した場合に、当該操作部Ｋ６１にチェックを入れてその旨を確認結果として記録する。その他、前記制御部１１は、薬剤師が前記投薬指導画面Ｐ２において前記指導項目に対応する前記操作部Ｋ６１を操作するまでの間は、当該指導項目を黄色などでハイライト表示し、薬剤師が前記投薬指導画面Ｐ２において当該指導項目に対応する前記操作部Ｋ６１を操作した場合に、当該操作部Ｋ６１のハイライト表示を終了してその旨を確認結果として記録してもよい。
【００５６】
具体的に、前記制御部１１は、前記操作部Ｋ６１における前記指導項目各々に対応するチェックボックスの操作に応じて、当該チェックボックスに対応する前記指導項目について確認済みである旨を確認結果として記録する。ここで、前記制御部１１は、前記操作部Ｋ６１において、前記指導項目各々に対応する下位項目のチェックボックスと、一又は複数の前記指導項目の上位項目に対応するチェックボックスとをそれぞれ表示させる。即ち、前記上位項目ごとに、当該上位項目に予め分類された一又は複数の前記指導項目が下位項目として階層表示されている。例えば、上位項目「共通項目」のチェックボックスと、「薬剤情報にて説明・指導」、及び「検査結果を確認し、問題ないことを確認した」各々のチェックボックスとが階層表示されている。なお、前記上位項目及び前記下位項目の対応関係は、例えば前記指導情報Ｄ１１に予め登録されている。また、前記指導項目の階層構造は、２段階に限らず３段階以上であってもよい。
【００５７】
そして、前記制御部１１は、前記上位項目及び前記下位項目の一方のチェックボックスの操作を他方のチェックボックスに連動させてもよい。具体的に、前記制御部１１は、前記下位項目のチェックボックスにチェックを付けるための操作された場合には、当該チェックボックスにチェックを付ける。これにより、前記制御部１１は、前記下位項目のチェックボックスの個別操作により当該下位項目各々についての確認操作の有無を細かく入力することが可能である。一方、前記制御部１１は、前記上位項目のチェックボックスにチェックを付けるための操作された場合には、当該チェックボックスにチェックを付けると共に、当該上位項目に分類されている前記下位項目各々のチェックボックスについてもチェックを付ける。これにより、前記制御部１１は、前記上位項目のチェックボックスの操作を、当該上位項目に分類された前記下位項目各々のチェックボックスの一括チェック操作として受け付けることが可能であり、薬剤師による確認作業の作業効率が高まる。また、前記制御部１１は、前記上位項目に分類された全ての前記下位項目のチェックボックスにチェックを付けるための操作された場合には、当該下位項目が分類されている前記上位項目のチェックボックスについてもチェックを付ける。これにより、前記下位項目各々のチェックボックスに対してチェックを付けるための操作が個別に行われる場合に、その後の前記上位項目のチェックボックスにチェックを付けるための操作を省略することが可能である。さらに、前記制御部１１は、前記上位項目のチェックボックスにチェックが付いている状態で、当該上位項目に分類された前記下位項目のいずれかのチェックボックスのチェックを外すための操作が行われた場合には、当該下位項目のチェックボックスのチェックを外すと共に、当該上位項目のチェックボックスのチェックを外す。これにより、前記下位項目各々のチェックボックスに対してチェックを外すための操作が個別に行われる場合に、その後の前記上位項目のチェックボックスのチェックを外す操作を省略することが可能である。
【００５８】
また、前記指導項目を纏めて表示する態様としては、全ての前記指導項目を同一画面に同時に表示させる態様に限らない。例えば、前記指導項目の数が、前記表示領域Ｐ２１に同時に表示できないほど多数である場合には、前記表示領域Ｐ２１におけるスクロール操作によって前記指導項目各々がスクロール表示可能であってもよい。なお、前記制御部１１は、対象患者について一つの処方データのみが発行されている場合には、その処方データに含まれる一又は複数の薬品に対応する前記指導項目を前記投薬指導画面Ｐ２の表示領域Ｐ２１に表示させる。
【００５９】
また、前記制御部１１は、図５に示されるように、前記表示領域Ｐ２１の前記表示領域Ｋ６３に表示される薬品の名称などの識別情報に対応付けて、当該薬品が処方薬に含まれる前記処方データの発行元の診療科を表示させることが考えられる。例えば、図５において、「コントミン錠」、「アイトロール錠」、「ロキソニン錠」には「外科」が括弧書きで対応付けて表示され、「ＴＳ−１カプセル」には「内科」が括弧書きで対応付けて表示されている。これにより、薬剤師は、前記指導項目の指導が必要となった原因である薬品が処方された診療科を容易に把握することが可能である。従って、例えば、薬品についての疑義照会などを行う際に、前記タブキーＫ５２又は前記タブキーＫ５３などの他のタブキーへの切り替えを要することなく、その薬品を処方した診療科を容易に把握することが可能である。なお、前記診療科の情報は、薬品に限らず、例えば前記指導事項に対応付けて表示されてもよい。
【００６０】
ところで、複数の診療科で発行された処方データに同じ薬品が含まれる場合に、その薬品各々に対応する前記指導項目が表示されると、同じ前記指導項目が複数表示されることになり、薬剤師による確認作業に手間がかかる。同様に、異なる薬品であっても、その複数の薬品に共通の前記指導事項が存在する場合に、その薬品各々に対応する前記指導項目が表示されると、同じ前記指導項目が複数表示されることになり、薬剤師による確認作業に手間がかかる。これに対し、前記制御部１１は、前記投薬指導画面Ｐ２に、一の患者について複数の診療科で発行された処方データに含まれる薬品各々に対応する前記指導項目を纏めて表示させるが、一の患者について重複する前記指導項目についてはそのうちの一つのみを表示させる。これにより、複数の診療科で発行された処方データに同じ薬品が含まれる場合、又は異なる薬品の前記指導項目が共通する場合でも、薬剤師は、前記投薬指導画面Ｐ２に表示される一つの前記指導項目について確認作業を行えばよいため、当該確認作業を効率的に行うことができる。  
【００６１】
＜ステップＳ１４＞
ところで、前記制御部１１は、対象患者について、複数の診療科から発行された処方データが存在する場合には、その診療科の数に１を加算した数のタブキーを前記投薬指導画面Ｐ２に表示させる。例えば、図５〜図７の前記投薬指導画面Ｐ２では、対象患者について内科及び外科の２つの診療科から発行された処方データが存在し、３つのタブキーＫ５１〜Ｋ５３が表示された状態が示されている。ここに、前記タブキーＫ５１は、複数の診療科で処方される薬品各々に対応する指導項目が纏めて表示される前記表示部Ｐ２１を表示させるための統合表示操作部であり、前記タブキーＫ５２及び前記タブキーＫ５３は、診療科各々で処方される薬品に対応する指導項目を個別に表示させるための個別表示操作部である。なお、本実施形態では、診療科ごとに対応するタブキーが表示される場合について説明するが、他の実施形態として、処方データごとに対応するタブキーが表示されることも考えられる。
【００６２】
そして、ステップＳ１４において、前記制御部１１は、前記クライアント端末２に対して前記タブキーＫ５１〜Ｋ５３のいずれかの選択操作が行われたか否かを判断する。ここで、前記タブキーＫ５１〜Ｋ５３のいずれかの選択操作が行われたと判断されると（Ｓ１４：Ｙｅｓ）、処理がステップＳ１５に移行し、前記タブキーＫ５１〜Ｋ５３の選択操作が行われていなければ（Ｓ１４：Ｎｏ）、処理が前記ステップＳ１４に戻される。
【００６３】
＜ステップＳ１５＞
ステップＳ１５において、前記制御部１１は、前記タブキーＫ５１〜Ｋ５３のうち前記ステップＳ１４で操作されたと判断されたタブキーに応じて、前記投薬指導画面Ｐ２の表示を更新するタブ切替表示を実行する。
【００６４】
具体的に、前記タブキーＫ５１が操作された場合、前記制御部１１は、前記投薬指導画面Ｐ２に前記表示部Ｐ２１を表示させる。なお、前記投薬指導画面Ｐ２に既に前記表示部Ｐ２１が表示されている場合にはその状態が継続する。
【００６５】
一方、前記タブキーＫ５２が操作された場合、前記制御部１１は、図６に示されるように、複数の診療科のうち当該タブキーＫ５２が示す内科で処方された薬品に対応する前記指導項目を抽出して前記投薬指導画面Ｐ２の表示領域Ｐ２２に表示させる。同様に、前記タブキーＫ５３が操作された場合、前記制御部１１は、図７に示されるように、複数の診療科のうち当該タブキーＫ５３が示す外科で処方された薬品に対応する前記指導項目を抽出して前記投薬指導画面Ｐ２の表示領域Ｐ２３に表示させる。これにより、薬剤師は、前記表示領域Ｐ２２又は前記表示領域Ｐ２３を参照して内科又は外科などのような一つの診療科ごとに、前記指導項目各々の確認作業を行う運用にも対応可能であり、前記投薬指導支援システム１０の汎用性が高まる。
【００６６】
＜ステップＳ１６＞
ステップＳ１６において、前記制御部１１は、前記指導項目各々の確認結果についての記録操作が行われたか否かを判断する。具体的に、前記投薬指導画面Ｐ２には、前記指導項目の確認結果を前記記憶部１２に記録するための登録キーＫ７１、及び前記指導項目の確認結果を前記プリンター３で印刷するための印刷キーＫ７２などが表示されている。そして、前記制御部１１は、前記登録キーＫ７１又は前記印刷キーＫ７２が操作された場合に、前記指導項目各々の確認結果についての記録操作が行われたと判断する。ここで、前記指導項目各々の確認結果についての記録操作が行われたと判断されると（Ｓ１６：Ｙｅｓ）、処理がステップＳ１７に移行し、前記指導項目各々の確認結果についての記録操作が行われていなければ（Ｓ１６：Ｎｏ）、処理が前記ステップＳ１５に戻される。
【００６７】
＜ステップＳ１７＞
ステップＳ１７において、前記制御部１１は、前記指導項目各々の確認結果についての記録処理を実行する。なお、当該ステップＳ１７における記録処理は、前記制御部１１の記録処理部１１３によって実行される。具体的に、前記制御部１１は、前記登録キーＫ７１が操作された場合には、前記指導項目各々の確認結果を前記記憶部１２に記録する登録処理を実行する。また、前記制御部１１は、前記印刷キーＫ７２が操作された場合には、前記指導項目各々の確認結果を前記プリンター３によって紙に記録する印刷処理を実行する。
【００６８】
より具体的に、前記制御部１１は、前記ステップＳ１７において、前記指導項目各々の確認結果を記録する際、前記指導項目各々を前記処方データごとに対応付けて記録する。即ち、前記制御部１１は、前記投薬指導画面Ｐ２において前記タブキーＫ５１が選択されて表示領域Ｐ２１が表示された状態で、前記指導項目各々についての確認操作が行われた場合であっても、前記ステップＳ１７では、前記指導項目各々の確認結果を患者に対応付けて纏めて記録するのではなく、前記処方データごとに対応付けて記録する。ここで、前記制御部１１は、前記投薬指導画面Ｐ２の表示領域Ｐ２１（図５参照）に表示された前記指導項目のうち複数の薬品に共通する指導項目について確認操作（操作部Ｋ６１のチェック操作）が行われて前記登録処理が実行される場合、当該指導項目が確認済みである旨を当該指導項目に対応する前記薬品を含む前記処方データ各々に対応付けて個別に記録することになる。例えば、前記ステップＳ１７において、前記制御部１１は、前記診療科ごとに記録反映の有無の確認画面Ｐ３を順に表示させ、各々の確認画面Ｐ３における確認操作に応じて、前記指導項目各々の確認結果を前記処方データごとに記録する処理を実行することが考えられる。また、前記ステップＳ１７における前記指導項目各々の確認結果の記録手法は、当該確認結果と前記処方データとの対応関係を特定することが可能であればこれに限らず、例えば、当該確認結果を、前記処方データに対応付けることなく、患者の識別情報（患者名、患者ＩＤ）、日付、及び診療科に対応付けて記憶することも他の実施形態として考えられる。この場合、前記制御部１１は、前記確認結果に対応付けられた患者の識別情報、日付、及び診療科に基づいて前記処方データを特定することが可能であり、前記確認結果と前記処方データとの対応関係を特定することが可能である。
【００６９】
ここに、図８Ａ及び図８Ｂは、前記確認画面Ｐ３の一例を示す図である。図８Ａに示される前記確認画面Ｐ３では、発行元の診療科が「内科」である薬品についての前記指導項目の確認結果が表示領域Ｐ３１に表示されると共に、当該確認結果の記録を実行するための実行キーＫ９１が表示されている。そして、前記制御部１１は、前記実行キーＫ９１が操作されると、前記表示領域Ｐ３１に表示されている内容を記録する記録処理を実行する。
【００７０】
同じく、図８Ｂに示される前記確認画面Ｐ３では、発行元の診療科が外科である薬品についての前記指導項目の確認結果が表示領域Ｐ３１に表示されると共に、当該確認結果の記録を実行するための実行キーＫ９１が表示されている。そして、前記制御部１１は、前記実行キーＫ９１が操作されると、前記表示領域Ｐ３１に表示されている内容を記録する記録処理を実行する。
【００７１】
例えば、前記指導項目の確認結果が印刷される場合には、図８Ａ及び図８Ｂの前記表示領域Ｐ３１の形態で紙に記録される印刷処理が実行されることが考えられる。これにより、薬剤師は、前記指導項目各々の確認結果が前記処方データごとに印刷された印刷物を取得することが可能である。また、前記指導項目の確認結果が前記記憶部１２に記録される場合には、図８Ａ及び図８Ｂの前記表示領域Ｐ３１に示されたテキスト情報が前記記憶部１２の前記薬歴情報として前記処方データに対応付けて記録される記録処理が実行されることが考えられる。これにより、薬剤師は、前記サーバー１又は前記クライアント端末２を用いて前記薬歴情報を参照することにより前記指導項目各々の確認結果を前記処方データごとに確認することが可能である。
【００７２】
以上説明したように、前記投薬指導支援システム１０では、前記投薬指導画面Ｐ２の表示領域Ｐ２１（図５参照）に、複数の診療科で処方された薬品に対応する前記指導項目各々が表示された状態で当該指導項目各々の確認作業又は当該指導項目各々の確認結果の記録作業を纏めて行うことが可能である。従って、診療科又は処方データごとに前記指導項目各々の確認作業又は当該指導項目各々の確認結果の記録作業を個別に行う場合に比べて、薬剤師による前記投薬指導業務の効率化を図ることができる。
【００７３】
なお、図５に示されるように、前記投薬指導画面Ｐ２には、持参薬などの追加の薬品を登録するための操作部Ｋ８１が表示されている。そして、前記制御部１１は、前記操作部Ｋ８１の操作によって持参薬などの追加の薬品が選択されると、当該持参薬に対応する前記指導項目も纏めて前記投薬指導画面Ｐ２の表示領域Ｐ２１に表示させる。また、前記制御部１１は、例えば前記タブキーＫ５１〜Ｋ５３に加えて、前記持参薬に対応するタブキーを表示させ、当該タブキーが選択された場合には、前記持参薬に対応する前記指導項目を抽出して前記投薬指導画面Ｐ２に表示させることも考えられる。
【００７４】
なお、前記指導項目各々が、「Ｓ」、「Ｏ」、「Ａ」、「Ｐ」の区分に分類されており、前記制御部１１が、前記指導項目の確認結果を前記区分ごとに分類して記録することも考えられる。なお、「Ｓ」は主観情報（Subjective Information）であって、患者が主観的に感じている症状などに関する情報である。「Ｏ」は客観情報（Objective Information）であって、身体診察、検査結果、及び処方データから得られる情報などである。「Ａ」は評価情報（Assessment Information）であって、前記主観情報「Ｓ」及び前記客観情報「Ｏ」の情報から考えられる薬剤師としての評価などに関する情報である。「Ｐ」は計画情報（Plan Information）であって、投薬及び治療計画などに関する情報である。また、「Ｐ」は、投薬指導又は服薬説明などに関する情報である教育計画（ＥＰ：Educational Plan）、患者の薬物治療に対しての介入計画（ＣＰ：Care Plan）、及び服薬の副作用の観察などに関する観察計画（ＯＰ：Observation Plan）などに分類されることがある。
【００７５】
また、本実施形態では、一の患者に対応する複数の診療科で発行された複数の処方データに処方薬として含まれる薬品について予め定められた指導項目を纏めて表示する構成について説明した。一方、一の患者について一の診療科から複数の処方データが発行された場合に、その処方データに処方薬として含まれる薬品について予め定められた指導項目を纏めて表示する構成も他の技術思想として考えられる。
【００７６】
［発明の付記］
以下、上述の実施形態から抽出される発明の技術的思想について付記する。また、以下に付記する各構成及び各処理機能を取捨選択して任意に組み合わせることも可能である。
【００７７】
［付記Ａ１］
一の患者に対応する複数の診療科で発行された複数の処方データに処方薬として含まれる薬品について予め定められた指導項目を纏めて表示可能な表示処理部と、
前記表示処理部によって表示される前記指導項目各々についての確認操作を受け付け可能な受付処理部と、
前記受付処理部によって受け付けられる前記指導項目各々についての確認結果を前記処方データごとに記録可能な記録処理部と、
を備える投薬指導支援システム。
【００７８】
［付記Ａ２］
前記表示処理部は、前記指導項目が纏めて表示される第１表示画面と、前記診療科ごとに前記指導項目が表示される第２表示画面とを切り替え表示可能であり、
前記受付処理部は、前記第１表示画面及び前記第２表示画面各々における確認操作を受付可能である、
付記Ａ１に記載の投薬指導支援システム。
【００７９】
［付記Ａ３］
前記表示処理部は、前記指導項目に対応する前記薬品の識別情報を当該指導項目に対応付けて表示させる、
付記Ａ１又はＡ２に記載の投薬指導支援システム。
【００８０】
［付記Ａ４］
前記表示処理部は、前記指導項目に対応する前記薬品が処方薬として含まれる前記処方データの発行元の前記診療科を当該診療項目又は当該薬品に対応付けて表示させる、
付記Ａ１〜Ａ３のいずれかに記載の投薬指導支援システム。
【００８１】
［付記Ａ５］
前記記録処理部は、前記指導項目各々についての確認結果を前記処方データごとに記憶部に記憶させる記憶処理、又は画像形成装置によってシートに記録させる印刷処理の少なくとも一方を実行可能である、
付記Ａ１〜Ａ４のいずれかに記載の投薬指導支援システム。
【００８２】
［付記Ａ６］
前記表示処理部は、前記処方データに、前記患者について前回処方されていない薬品が追加された場合に、薬品の追加に関する項目を前記指導項目として表示させる、
付記Ａ１〜Ａ５のいずれかに記載の投薬指導支援システム。
【００８３】
［付記Ａ７］
前記表示処理部は、発行日が同じ複数の前記処方データ、又は投薬日が同じ複数の前記処方データについて、前記指導項目を纏めて表示する、
付記Ａ１〜Ａ６のいずれかに記載の投薬指導支援システム。
【００８４】
［付記Ａ８］
前記表示処理部は、発行日が同じ複数の前記処方データ、又は投薬日が同じ複数の前記処方データのうち、未確認の前記指導項目が存在する処方データについて、当該未確認の指導項目を纏めて表示する、
付記Ａ７に記載の投薬指導支援システム。
【００８５】
［付記Ａ９］
前記表示処理部は、ユーザー操作により選択された一又は複数の前記処方データについて前記指導項目を纏めて表示する、
付記Ａ１〜Ａ８のいずれかに記載の投薬指導支援システム。
【００８６】
［付記Ａ１０］
コンピュータに、
一の患者に対応する複数の診療科で発行された複数の処方データに処方薬として含まれる薬品について予め定められた指導項目を纏めて表示する表示ステップと、
前記表示ステップによって表示される前記指導項目各々についての確認操作を受け付ける受付ステップと、
前記受付ステップによって受け付けられる前記指導項目各々についての確認結果を前記診療科ごとに分類して記録する記録ステップと、
を実行させるための投薬指導支援プログラム。
【００８７】
［付記Ｂ１］
一の患者に対応する複数の処方データに処方薬として含まれる薬品について予め定められた指導項目を纏めて表示可能な表示処理部と、
前記表示処理部によって表示される前記指導項目各々についての確認操作を受け付け可能な受付処理部と、
前記受付処理部によって受け付けられる前記指導項目各々についての確認結果を前記処方データごとに記録可能な記録処理部と、
を備える投薬指導支援システム。
【符号の説明】
【００８８】
１      サーバー
１１    制御部
１１１  表示処理部
１１２  受付処理部
１１３  記録処理部
１２    記憶部
１３    通信Ｉ／Ｆ
１４    操作装置
１５    表示装置
１６    ドライブ装置
２      クライアント端末
２１    制御部
２２    記憶部
２３    通信Ｉ／Ｆ
２４    操作装置
２５    表示装置
２６    ドライブ装置
３      プリンター
４      上位システム
１０    投薬指導支援システム
【図１】
2018120369.tif 000003
【図２】
2018120369.tif 000004
【図３】
2018120369.tif 000005
【図４】
2018120369.tif 000006
【図５】
2018120369.tif 000007
【図６】
2018120369.tif 000008
【図７】
2018120369.tif 000009
【図８Ａ】
2018120369.tif 000010
【図８Ｂ】
2018120369.tif 000011